(57)【要約】【課題】発光報知装置を装備する場合に遊技機前面における他の装置の配置レイアウトを制限することなく、効果的な発光報知により遊技演出を十分に高めて興趣を増大させ得る遊技機を提供する。【解決手段】遊技機は、所定の遊技状態を発光報知する発光報知装置６を装備する。この発光報知装置は、遊技機前面の一部を構成するように遊技機前面の強度部材３に取り付けられた光透過性を有するカバー３２と、このカバーに対向して遊技機前面の裏側に配置され、光源３６を実装した光源基板３３と、光源基板の向きを変更する駆動手段３４と、この駆動手段を強度部材に取り付ける取付部材３５とを備えてなる。【選択図】      図３
2005199034.tif 000002
【特許請求の範囲】
【請求項１】
所定の遊技状態を発光報知する発光報知装置を装備する遊技機において、
上記発光報知装置は、遊技機前面の一部を構成するように遊技機前面の強度部材に取り付けられた光透過性を有するカバーと、このカバーに対向して遊技機前面の裏側に配置され、光源を実装した光源基板と、この光源基板の向きを変更する駆動手段と、この駆動手段を強度部材に取り付ける取付部材とを備えたことを特徴とする遊技機。
【請求項２】
上記光源基板は、駆動手段に連結して支持されており、この駆動手段は、光源からの光がカバーに照射する範囲内で光源基板の向きを連続的又は断続的に変更するようになっている請求項１記載の遊技機。
【請求項３】
上記カバーは、一方向に細長く形成されており、上記駆動手段は、このカバーの長手方向と直交する方向に延びる回動軸を有し、この回動軸回りに光源基板の向きを変更するように構成されている請求項２記載の遊技機。
【請求項４】
上記光源基板及び駆動手段は、共にカバーの長手方向に沿って所定間隔ずつ離間して複数設けられている請求項３記載の遊技機。
【請求項５】
上記駆動手段は、電源のオン・オフ切替により回動軸が所定角度で回動するロータリソレノイドからなる請求項２ないし請求項４のいずれか一つに記載の遊技機。
【請求項６】
上記カバー及び光源基板は、共に一方向に細長く形成されているとともに、光源基板は、その長手方向に延びる中心線回りに回転可能に強度部材に支持されている請求項１記載の遊技機。
【請求項７】
上記駆動手段は、光源からの光がカバーに照射する範囲内で光源基板を中心線回りに揺動させてその向きを連続的又は断続的に変更するようになっている請求項６記載の遊技機。
【請求項８】
上記駆動手段は、光源基板を中心線回りに光源がカバー側に向いた表向き状態と反対側に向いた裏向き状態との間で回動させてその向きを連続的又は断続的に変更するようになっている請求項６記載の遊技機。
【請求項９】
上記光源基板には光源からの光を裏面側に通すための複数の切り欠き部が設けられている請求項８記載の遊技機。
【請求項１０】
上記光源基板の後方には、光源基板が裏向き状態のとき又は回動中のときに光源からの光を前方に反射する反射板が設けられている請求項８又は９記載の遊技機。
【請求項１１】
上記駆動手段は、正逆回転可能なモータと、このモータの回転力を光源基板の中心線側に伝達するギヤ機構とを有してなる請求項６ないし請求項１０のいずれか一つに記載の遊技機。
【発明の詳細な説明】
【技術分野】
【０００１】
本発明は、スロットマシンやパチンコ機などの遊技機に関し、特に所定の遊技状態を発光報知する発光報知装置を装備するものに係わる。
【背景技術】
【０００２】
一般に、スロットマシンなどの遊技機においては、ボーナスゲームなどの大当たり状態になったり、内部抽選で当選フラグが成立したりしたときなどに発光報知装置によりその状態を遊技者に発光報知し、遊技演出を高めて興趣を増大させるようになっている。
【０００３】
そして、このような発光報知装置としては、通常、例えば特許文献１に開示されるように、遊技機の前面上部に設けられる上部ランプなどを利用し、所定の遊技状態になったとき上部ランプなどを点灯又は点滅させて報知を行っている。また、特殊な発光報知装置として、例えば特許文献２に開示されるように、遊技機の前面上部に上部ランプとは別に回転灯を設けたものが知られている。この回転灯は、光透過性の合成樹脂よりなるお碗形のカバーと、このカバーの内側に配置された光源と、この光源の周りに回転可能に設けられた反射板と、この反射板を駆動するモータとを有し、モータにより反射板を光源の周りに回転させるとともに、光源からの光を反射板で反射することにより、反射光がカバーを通して遊技者に回転するサーチライトのように視認される色発光を放つものである。
【特許文献１】特開２００３−１０３８６号公報
【特許文献２】特開２００１−３４０５２２号公報
【発明の開示】
【発明が解決しようとする課題】
【０００４】
上記従来の発光報知装置のうち、前者のものでは、単にランプを点灯又は点滅させるだけであるため、演出効果を十分に高めることができないという問題がある。尚、特許文献１には、この問題を解決するために、上部ランプの光源を、横一列に配列した複数の発光ダイオードなどの多色発光素子で構成し、それらの発光色を所定時間毎に順次変化させて一方向に流れるような色変化が生じるようにすることが開示されているが、演出効果を高めて遊技機の興趣をより増大させる観点から更なる改善が要請されている。
【０００５】
また、後者のものでは、回転灯という比較的大きな装置の設置スペースを遊技機の前面に確保しなければならないため、遊技機の前面における他の装置の配置レイアウトが制限されるという問題がある。
【０００６】
本発明はかかる諸点に鑑みてなされたものであり、その課題とするところは、遊技機の前面に設けられるランプを利用しつつ、このランプの点灯又は点滅に加えてその照射方向を可変とするように発光報知装置を改良し、遊技機の前面における他の装置の配置レイアウトを制限することなく、効果的な発光報知により遊技演出を十分に高めて興趣を増大させ得る遊技機を提供せんとするものである。
【課題を解決するための手段】
【０００７】
上記の課題を解決するため、請求項１に係る発明は、所定の遊技状態を発光報知する発光報知装置を装備する遊技機において、上記発光報知装置を、遊技機前面の一部を構成するように遊技機前面の強度部材に取り付けられた光透過性を有するカバーと、このカバーに対向して遊技機前面の裏側に配置され、光源を実装した光源基板と、光源基板の向きを変更する駆動手段と、この駆動手段を強度部材に取り付ける取付部材とによって構成する。
【０００８】
この構成では、遊技機が所定の遊技状態になったときには、発光報知装置の光源基板上の光源が点灯又は点滅すると同時に、駆動手段が作動して光源基板の向きが変更され、光源からの光がカバーを通して遊技者側に向きを変えながら照射され、これにより、従来公知の回転灯の場合と同様な演出効果が得られる。しかも、発光報知装置のカバーは、遊技機前面の一部を構成し、発光報知装置のその他の構成部材は、全て遊技機前面の裏側に配置されているため、従来公知の回転灯の場合の如く遊技機の前面における他の装置の配置レイアウトが制限されることはない。
【０００９】
請求項２に係る発明は、請求項１記載の遊技機において、上記光源基板を、駆動手段に連結して支持させる一方、この駆動手段により、光源からの光がカバーに照射する範囲内で光源基板の向きを連続的又は断続的に変更する構成にする。この構成では、光源基板の向きの変更は、光源からの光がカバーに照射する範囲内で行われるため、光源基板の向きの変更による明度の低下を少なくすることができる。
【００１０】
請求項３に係る発明は、請求項２記載の遊技機において、上記カバーを、一方向に細長く形成する一方、上記駆動手段が、このカバーの長手方向と直交する方向に延びる回動軸を有し、この回動軸回りに光源基板の向きを変更するように構成する。この構成では、カバーが一方向に細長く形成されているため、遊技機前面の片隅などの僅かな隙間にもカバーの取付ひいては発光報知装置の装備を容易に行うことができる。
【００１１】
請求項４に係る発明は、請求項３記載の遊技機において、上記光源基板及び駆動手段を、共にカバーの長手方向に沿って所定間隔ずつ離間して複数設ける構成とする。この構成では、カバーの長手方向の長さが長い場合でも、その長手方向に沿って所定間隔ずつ離間して設けられた複数の光源基板と、この各光源基板の向きを各々別々に変更する複数の駆動手段とにより、カバーの全体を通して光源基板上の光源からの光を遊技者側に照射することができる。しかも、１つの光源基板及び駆動手段により構成する場合よりも発光報知装置全体を小型にすることができる。
【００１２】
請求項５に係る発明は、請求項２ないし請求項４のいずれか一つに記載の遊技機において、上記駆動手段を、電源のオン・オフ切替により回動軸が所定角度で回動するロータリソレノイドによって構成する。この構成では、光源基板の向きを変更する駆動手段がロータリソレノイドのみによって構成され、かつ電源のオン・オフ切替だけで制御が簡単に行われるため、実施化を容易に図ることができる。
【００１３】
請求項６に係る発明は、請求項１記載の遊技機において、上記カバー及び光源基板を、共に一方向に細長く形成するとともに、光源基板を、その長手方向に延びる中心線回りに回転可能に強度部材に支持させる構成とする。この構成では、光源基板が駆動手段と独立して強度部材に回転可能に支持されているため、この光源基板の向きの変更を円滑に行うことができる。
【００１４】
請求項７に係る発明は、請求項６記載の遊技機において、上記駆動手段により、光源からの光がカバーに照射する範囲内で光源基板を中心線回りに揺動させてその向きを連続的又は断続的に変更する構成にする。この構成では、光源基板の向きの変更は、光源からの光がカバーに照射する範囲内で行われるため、光源基板の向きの変更による明度の低下を少なくすることができる。
【００１５】
請求項８に係る発明は、請求項６記載の遊技機において、上記駆動手段により、光源基板を中心線回りに光源がカバー側に向いた表向き状態と反対側に向いた裏向き状態との間で回動させてその向きを連続的又は断続的に変更する構成にする。この構成では、光源基板の向きが表向き状態と裏向き状態との間で変更されるため、明度の大幅な変化を伴う一風変わった発光報知が実現されることになる。
【００１６】
請求項９に係る発明は、請求項８記載の遊技機において、上記光源基板に、光源からの光を裏面側に通すための複数の切り欠き部を設ける構成にする。この構成では、光源基板の向きが裏向き状態に変更されたときでも光源基板の表面側の光源から照射された光が光源基板の切り欠き部を通って光源基板の裏面側つまりカバー側に向かって放射されることになる。
【００１７】
請求項１０に係る発明は、請求項８又は９記載の遊技機において、上記光源基板の後方つまり背面側に、光源基板が裏向き状態のとき又は回動中のときに光源からの光を前方に反射する反射板を設ける構成とする。この構成では、光源基板が裏向き状態のとき又は回動中のときには、光源基板の光源から後方に照射された光が光源基板の後方に設けた反射板により前方に反射され、この反射光が光源基板の短手方向両側又は切り欠き部を通ってカバー側に向かって放射される。
【００１８】
請求項１１に係る発明は、請求項６ないし請求項１０のいずれか一つに記載の遊技機において、上記駆動手段を、正逆回転可能なモータと、このモータの回転力を光源基板の中心線側に伝達するギヤ機構とを有してなる構成にする。この構成では、モータの回転力がギヤ機構を介して光源基板の中心線側に伝達され、光源基板がその中心線回りに確実に回動することになる。
【発明の効果】
【００１９】
以上のように、本発明の遊技機によれば、所定の遊技状態になったときには、発光報知装置の光源基板上の光源が点灯又は点滅すると同時に、光源基板の向きが変更され、光源からの光がカバーを通して遊技者側に向きを変えながら照射されるため、遊技演出効果を十分に高めて遊技機の興趣を効果的に高めることができる。しかも、発光報知装置のカバーは、遊技機前面の一部を構成し、発光報知装置のその他の構成部材は、全て遊技機前面の裏側に配置されているため、遊技機前面における他の装置の配置レイアウトを制限することはなく、実施化を容易に図ることができる。
【００２０】
特に、請求項２に係る発明では、光源基板の向きの変更は光源からの光がカバーに照射する範囲内で行われるため、光源基板の向きの変更による明度の低下を少なくすることができ、実施化を図る上で有効なものである。
【００２１】
請求項３に係る発明では、発光報知装置のカバーが一方向に細長く形成されているため、遊技機前面の片隅などの僅かな隙間にもカバーの取付ひいては発光報知装置の装備を容易に行うことができ、実施化をより容易に図ることができる。
【００２２】
請求項４に係る発明では、カバーの長手方向の長さが長い場合でも、複数の光源基板及び駆動手段によりカバーの全体を通して光源基板上の光源からの光を遊技者側に照射することができる上、１つの光源基板及び駆動手段により構成する場合よりも発光報知装置全体を小型にすることができ、実用性に優れた効果を有する。
【００２３】
請求項５に係る発明では、駆動手段をロータリソレノイドで構成することにより、駆動手段の構成及び制御を簡易なものにすることができ、実施化をより一層容易に図ることができる。
【００２４】
請求項６に係る発明では、光源基板が駆動手段と独立して強度部材に回転可能に支持されているため、この光源基板の向きの変更を円滑に行うことができ、作動の信頼性を高めることができる。
【００２５】
請求項７に係る発明では、光源基板の向きの変更は光源からの光がカバーに照射する範囲内で行われるため、光源基板の向きの変更による明度の低下を少なくすることができ、実施化を図る上で有効なものである。
【００２６】
請求項８に係る発明では、光源基板の向きが表向き状態と裏向き状態との間で変更されるため、明度の大幅な変化により一風変わった発光報知を実現することができ、演出効果を高めることができる。
【００２７】
請求項９に係る発明では、光源基板の向きが裏向き状態に変更されたときでも光源基板の表面側の光源から照射された光が光源基板の切り欠き部を通ってカバー側に向かって放射されるため、発光報知による演出効果をより高めることができる。
【００２８】
請求項１０に係る発明では、光源基板が裏向き状態のとき又は回動中のときには、光源基板の光源から後方に照射された光が光源基板の後方に設けた反射板により前方に反射され、この反射光が光源基板の短手方向両側又は切り欠き部を通ってカバー側に向かって放射されるため、発光報知による演出効果をより一層高めることができる。
【００２９】
さらに、請求項１１に係る発明では、モータの回転力がギヤ機構を介して光源基板の中心線側に伝達され、光源基板がその中心線回りに確実に回動するため、作動の信頼性を高めることができる。
【発明を実施するための最良の形態】
【００３０】
以下、本発明を実施するための最良の形態である実施形態を図面に基づいて説明する。
【００３１】
（第１の実施形態）
図１は本発明の第１の実施形態に係る遊技機としてのスロットマシンＡの外観を示す。このスロットマシンＡは、その遊技面である前面が前扉１により構成されており、この前扉１は、筐体の前方開口部（図示せず）に開閉可能に取り付けられている。
【００３２】
上記前扉１は、左右両側の端フレーム２Ｌ，２Ｒ同士を上部フレーム３、中間フレームとしての操作盤４及び下部フレーム５でそれぞれ連結して枠構造が構成されており、上部フレーム３には上部ランプ６、上部パネル７及び左右２つのスピーカ８，８が設けられている。また、操作盤４上には操作部としてのメダル投入口１１、始動スイッチ１２及び３つの停止スイッチ１３，１３，１３などが適宜配置されている。
【００３３】
上記前扉１の中央部には中間パネル１５が装着されており、この中間パネル１５の周囲は上部フレーム３，左右の端フレーム２Ｌ，２Ｒ及び操作盤４により支持されているとともに、中間パネル１５の裏面側は保持プレート１６（図６参照）により保持されている。中間パネル１５は、アクリル板のような透明な合成樹脂板や強化ガラス板などの裏面にシルクスクリーン印刷により絵柄や模様などを施してなり、この中間パネル１５の中央部には、シルクスクリーン印刷を施さず透明なままの部分である矩形状のリール表示窓１７が形成されている。このリール表示窓１７からは、筐体内に配置されたリール装置の３つの回転リール１８，１８，１８の各外周面に一列に描かれた図柄（図示せず）が３つずつ見えるようになっており、始動スイッチ１２の操作により各回転リール１８を回転させた後停止スイッチ１３の操作によりその回転を停止させたときリール表示窓１７の有効ライン上に所定の図柄が揃うか否かによって遊技が行われる。
【００３４】
上記前扉１の下部（詳しくは操作盤４と下部フレーム５との間）には下部パネル２０が下部パネル枠２１により周囲を保持した状態で装着されており、この下部パネル２０は、タイトルパネルとして矩形状の合成樹脂板の裏面に機種名などを印刷してなる。また、前扉１の下部フレーム５にはメダル払出口２２が設けられているとともに、このメダル払出口２２から払い出されるメダルを受け取るためのメダル受け皿２３が取り付けられている。
【００３５】
そして、本発明の特徴点として、上記上部ランプ６は、スロットマシンＡがボーナスゲームに入賞したときなど所定の遊技状態を発光報知する発光報知装置としての機能を有している。この上部ランプ６は、図２及び図３に詳示するように、上部フレーム３に設けた開口部３１を覆って前扉１の上部表面の一部を構成するように上部フレーム３に取り付けられたランプカバー３２と、上記開口部３１を通してこのランプカバー３２に対向して前扉１の裏側にそれぞれ配置された３つの光源基板３３，３３，３３と、この各光源基板３３の向きをそれぞれ別々にかつ連続的又は断続的に変更する３つの駆動手段としてのロータリソレノイド３４，３４，３４と、この３つのロータリソレノイド３４，３４，３４を共に上部フレーム３に取り付ける取付部材３５とを備えている。
【００３６】
上記ランプカバー３２は、光透過性を有するアクリル樹脂などの合成樹脂からなるもので、上部フレーム３の横幅略全長に亘って横方向に細長く形成されている。上記光源基板３３及びロータリソレノイド３４は、共にこのランプカバー３２の長手方向である前扉１の横方向に沿って所定間隔ずつ離間して配置されている。また、光源基板３３は、図４にも示すように、一辺の長さがランプカバー３２の縦方向（上下方向）の寸法よりも若干小さい略正方形状のもので、表面側に複数（図では４つ）の光源としての発光ダイオード３６，３６，…が実装されているとともに、裏面側にコネクタ受け部３７が設けられており、この受け部３７には、図示していないが、コネクタを介して筐体内の制御基板が接続され、この制御基板の指令に基づいて光源基板３３上の各発光ダイオード３６の点灯又は点滅が制御されるようになっている。
【００３７】
上記ロータリソレノイド３４は、図５にも示すように、ケース４１と、このケース４１に固定された固定鉄心としてのベース４２と、このベース４２とケース４１との間に配置されたコイル４３と、ベース４２の中心に軸受け４４を介して貫通して設けられた回動軸４５と、上記ベース４２に対向してこの回動軸４５に固定された可動鉄心としてのハブ４６と、このハブ４６に装着されたプレート４７とを有している。上記ケース４１及びプレート４７には、図示していないが、それぞれ対向する面に複数の傾斜溝が設けられ、この各傾斜溝内にはベアリングボールが介在されている。そして、上記コイル４３に通電を行うとプレート４７がハブ４６と共にベース４２側に吸引されてベアリングボールを介してケース４１に押圧され、このベアリングボールと傾斜溝との作用によりプレート４７ひいては回動軸４５が軸方向に移動しながら一方向に所定角度回動するようになっている。尚、ロータリソレノイド３４は、図示していないが、復帰ばねを有し、コイル４３への通電を遮断すると復帰ばねにより回動軸４５などが元に戻るようになっている。
【００３８】
上記ロータリソレノイド３４は、プレート４７を上側にして回動軸４５を上下方向につまりランプカバー３２の長手方向と直交する方向に延ばした状態で配置されており、このロータリソレノイド３４のプレート４７にはアングル状の取付金具５１などを介して光源基板３３がその表面側（発光ダイオード３６実装側）をランプカバー３２に向けた状態で取り付けられている。ロータリソレノイド３４（詳しくはコイル４３）に対する電源のオン・オフ切替によりロータリソレノイド３４のプレート４７が回動軸４５回りに回動し、それに伴って光源基板３３の向きが発光ダイオード３６からの光がランプカバー３２に照射する範囲内で連続的に変更されるようになっている。ロータリソレノイド３４に対する電源のオン・オフ切替は、光源基板３３の発光ダイオード３６の点灯・点滅制御と同じく筐体内の制御基板の指令に基づいて行われる。
【００３９】
上記取付部材３５は、上部フレーム３の裏側でランプカバー３２の下縁よりも下側の位置を水平にかつ上部プレーム３の横方向に細長く延びる水平部３５ａと、この水平部３５ａの前縁から上部フレーム３寄りに突出して下方に略直角に折り曲げられた左右２つのアングル状の固定部３５ｂ，３５ｂとからなる。取付部材３５の各固定部３５ｂは、それぞれ上部フレーム３の上部パネル７取付部とスピーカ８取付部との間に設けたボス部５２にねじ止めにより固定されている。取付部材３５の水平部３５ａには、左右両端部と中央部の３箇所にそれぞれロータリソレノイド３４がベース４２に設けたねじ５３などを用いて固定されている。
【００４０】
上記スロットマシンＡは、中間パネル１５の左右両側及び下部パネル２０の左右両側にそれぞれ、上部ランプ６とは別に、所定の遊技状態を発光報知する一対の発光報知装置６０，６０又は７０，７０を装備している。
【００４１】
中間パネル１５側の発光報知装置６０は、図６及び図７に詳示するように、端フレーム２Ｌ又は２Ｒの中間パネル１５側縁を支持する縁部２ａに設けた開口部６１を覆って前扉１の表面の一部を構成するように端フレーム２Ｌ又は２Ｒの縁部２ａに取り付けられたカバー６２と、上記開口部６１を通してこのカバー６２に対向して前扉１の裏側に配置された光源基板６３と、この光源基板６３の向きを連続的又は断続的に変更する駆動手段としてのロータリソレノイド６４と、このロータリソレノイド６４を強度部材としての保持プレート１６に取り付ける取付部材６５とを備えている。
【００４２】
上記カバー６２は、光透過性を有するアクリル樹脂などの合成樹脂からなるもので、端フレーム２Ｌ又は２Ｒの縁部２ａの略全長に亘って上下方向に細長く形成されている。上記光源基板６３は上下方向に細長い矩形状のもので、その長辺の長さはカバー６２の長さの３分の１程度に設定されている。この光源基板６３の表面側には複数（図では３つ）の光源としての発光ダイオード６６，６６，…が縦一列に実装されており、この各発光ダイオード６６の点灯又は点滅は、図示していないが、光源基板６３の裏面側に接続されるコネクタを介して筐体内の制御基板の指令に基づいて制御されるようになっている。
【００４３】
上記ロータリソレノイド６４は、上部ランプ６のロータリソレノイド３４と同じ構成のもので、電源のオン・オフ切替により回動軸６７及びプレート６８が回動軸６７回りに所定角度で回動するようになっている。このロータリソレノイド６４は、プレート６８を端フレーム２Ｌ又は２Ｒ寄りに位置させて回動軸６７を横方向につまりカバー６２の長手方向と直交する方向に延ばした状態で配置されており、ロータリソレノイド６４のプレート６８にはアングル状の取付金具６９などを介して光源基板６３がその表面側（発光ダイオード６６実装側）をカバー６２に向けた状態で取り付けられ、ロータリソレノイド６４により光源基板６３の向きが回動軸６７回りに発光ダイオード６６からの光がカバー６２に照射する範囲内で連続的又は断続的に変更されるようになっている。このロータリソレノイド６４に対する電源のオン・オフ切替は、光源基板６３の発光ダイオード６６の点灯・点滅制御と同じく筐体内の制御基板の指令に基づいて行われる。
【００４４】
一方、下部パネル２０側の発光報知装置７０は、図８に示すように、下部パネル枠２１の側枠部に設けた開口部７１ａを覆って前扉１の表面の一部を構成するように下部パネル枠２１の側枠部に取り付けられたカバー７２と、上記開口部７１ａ及び端フレーム２Ｌ又は２Ｒのフランジ部２ｂに設けた開口部７１ｂを通してカバー７２に対向して前扉１の裏側に配置された光源基板７３と、この光源基板７３の向きを連続的又は断続的に変更する駆動手段としてのロータリソレノイド７４と、このロータリソレノイド７４を端フレーム２Ｌ又は２Ｒのフランジ部２ｂに取り付ける取付部材７５とを備えている。
【００４５】
上記カバー７２は、光透過性を有するアクリル樹脂などの合成樹脂からなるもので、下部パネル枠２１の側枠部の略全長に亘って上下方向に細長く形成されている。上記光源基板７３は上下方向に細長い矩形状のもので、その長辺の長さはカバー７２の長さの３分の１程度に設定されている。この光源基板７３の表面側には複数の光源としての発光ダイオード７６，…が縦一列に実装されており、この各発光ダイオード７６の点灯又は点滅は、図示していないが、光源基板７３の裏面側に接続されるコネクタを介して筐体内の制御基板の指令に基づいて制御されるようになっている。
【００４６】
上記ロータリソレノイド７４は、上部ランプ６のロータリソレノイド３４と同じ構成のもので、電源のオン・オフ切替により回動軸７７及びプレート７８が回動軸７７回りに所定角度で回動するようになっている。このロータリソレノイド７４は、プレート７８を端フレーム２Ｌ又は２Ｒ寄りに位置させて回動軸７７を横方向につまりカバー７２の長手方向と直交する方向に延ばした状態で配置されており、ロータリソレノイド７４のプレート７８にはアングル状の取付金具７９などを介して光源基板７３がその表面側（発光ダイオード７６実装側）をカバー７２に向けた状態で取り付けられ、ロータリソレノイド７４により光源基板７３の向きが回動軸７７回りに発光ダイオード７６からの光がカバー７２に照射する範囲内で連続的又は断続的に変更されるようになっている。このロータリソレノイド７４に対する電源のオン・オフ切替は、光源基板７３の発光ダイオード７６の点灯・点滅制御と同じく筐体内の制御基板の指令に基づいて行われる。
【００４７】
次に、上記スロットマシンＡの作用・効果について説明するに、遊技中にボーナスゲームに入賞したときなど所定の遊技状態になったときには、筐体内の制御基板の制御指令に基づいて、上部ランプ６、中間パネル１５左右両側の発光報知装置６０，６０及び下部パネル２０左右両側の発光報知装置７０，７０において、それぞれ光源基板３３，６３，７３上の各発光ダイオード３６，６６，７６が点灯又は点滅すると同時に、光源基板３３，６３，７３の向きがロータリソレノイド３４，６４，７４により連続的又は断続的に変更され、光源基板３３，６３，７３上の各発光ダイオード３６，６６，７６からの光がカバー３２，６２，７２を通して遊技者側に向きを変えながら照射されるため、遊技演出効果を十分に高めてスロットマシンＡの興趣を効果的に高めることができる。
【００４８】
しかも、上記上部ランプ６、中間パネル１５左右両側の発光報知装置６０，６０及び下部パネル２０左右両側の発光報知装置７０，７０は、いずれもそのカバー３２，６２，７２が前扉１の表面の一部を構成し、光源基板３３，６３，７３などの他の構成部材が全て前扉１の裏側に配置されているため、従来公知の回転灯を発光報知装置として前扉１に装備する場合の如くスロットマシンＡの前扉１における他の装置の配置レイアウトを制限することはなく、実施化を容易に図ることができる。
【００４９】
また、上記上部ランプ６及び各発光報知装置６０，７０のカバー３２，６２，７２は、いずれも前扉１の一方向つまり横方向又は縦方向（上下方向）に細長く形成されているため、前扉１の表面の片隅などの僅かな隙間にもカバー３２，６２，７２の取付ひいては上部ランプ６及び発光報知装置６０，７０の装備を容易に行うことができ、実施化をより容易に図ることができる。特に、上部ランプ６のランプカバー３２は前扉１の横幅略全長に亘って細長くなっているが、この上部ランプ６においては、光源基板３３及びロータリソレノイド３４が共にランプカバー３２の長手方向に沿って所定間隔ずつ離間して３つ設けられているため、ランプカバー３２の全体を通して光源基板３３上の発光ダイオード３６からの光を遊技者側に照射することができる上、１つの光源基板３３及び駆動手段により構成する場合よりも上部ランプ６つまり発光報知装置全体を小型にすることができる。
【００５０】
さらに、上記上部ランプ６及び各発光報知装置６０，７０は、いずれも光源基板３３，６３，７３の向きを変更する駆動手段として、電源のオン・オフ切替により回動軸４５，６７，７７が所定角度で回動するロータリソレノイド３４，６５，７５を用いてなるため、駆動手段の構成及び制御を簡易なものにすることができ、実施化をより一層容易に図ることができる。
【００５１】
（第２の実施形態）
図９及び図１０は本発明の第２の実施形態に係るスロットマシンＢの前扉１の下部構造を示す。このスロットマシンＢは、下部パネル２０の下側に、制御基板（図示せず）での内部抽選でボーナスフラグが立ったときなど所定の遊技状態を暗示的に発光報知する発光報知装置８０を装備している。
【００５２】
上記発光報知装置８０は、前扉１の下部フレーム５のメダル受け皿２３に対向して前方に突出する部位に設けた開口部８１を内側から覆って前扉１の下部表面の一部を構成するように下部フレーム５に取り付けられたカバー８２と、このカバー８２に対向して前扉１の下部パネル２０の裏側に配置された光源基板８３と、この光源基板８３の向きを連続的又は断続的に変更する駆動手段としてのロータリソレノイド８４と、このロータリソレノイド８４を下部フレーム５に取り付ける取付部材８５とを備えている。
【００５３】
上記カバー８２は、図１１にも示すように、光透過性を有するアクリル樹脂などの合成樹脂からなる横長の矩形平板状のものであり、このカバー８２には所定の文字８６又は記号などが光を透過するように印刷されている。上記光源基板８３は矩形状のもので、その表面側には１つ又は複数の光源としての発光ダイオード８７が実装されており、この発光ダイオード８７の点灯又は点滅は、図示していないが、光源基板８３の裏面側に接続されるコネクタを介して筐体内の制御基板の指令に基づいて制御されるようになっている。
【００５４】
上記ロータリソレノイド８４は、電源のオン・オフ切替により回動軸８８及びプレート８９が回動軸８８回りに所定角度で回動するようになっている。このロータリソレノイド８４は、プレート８９を下部パネル２０に向けて回動軸８８を前後方向につまりカバー８２の長手方向と直交する方向に延ばした状態で配置されており、ロータリソレノイド８４のプレート８９にはアングル状の取付金具９０などを介して光源基板８３がその表面側（発光ダイオード８７実装側）をカバー８２に向けた状態で取り付けられ、ロータリソレノイド８４により光源基板８３の向きが回動軸８８回りに発光ダイオード８７からの光がカバー８２に照射する範囲内で連続的又は断続的に変更されるようになっている。このロータリソレノイド８４に対する電源のオン・オフ切替は、光源基板８３の発光ダイオード８７の点灯・点滅制御と同じく筐体内の制御基板の指令に基づいて行われる。
【００５５】
一方、前扉１のメダル受け皿２３には、上記発光表示装置８０のカバー８２に対向して、ステンレス製の受け皿プレート９１が設けられている。尚、スロットマシンＢのその他の構成は、第１の実施形態に係るスロットマシンＡの場合と同じであり、同一部材には同一符号を付してその説明は省略する。
【００５６】
次に、上記スロットマシンＢの作動、特に、発光報知装置８０の作動について説明する。スロットマシンＢが所定の遊技状態になったときには、筐体内の制御基板の制御指令に基づいて、発光報知装置８０において、光源基板８３上の発光ダイオード８７が点灯すると同時に、光源基板８３の向きがロータリソレノイド８４により連続的又は断続的に変更され、光源基板８３上の発光ダイオード８７からの光がカバー８２を通る位置を変えながらメダル受け皿２３上の受け皿プレート９１に照射される。その際、カバー８２に印刷された所定の文字８６などが明度を時々刻々と変化させながら受け皿プレート９１上に映し出されるため、遊技者はそれを見ることで所定の遊技状態の発生を認識することができる上、文字８６などの映し出しにより遊技の演出効果を十分に高めてスロットマシンＢの興趣を効果的に高めることができる。
【００５７】
また、上記発光報知装置８０は、第１の実施形態における発光報知装置６０，７０と略同様な構成になっているため、これらと同様な作用・効果を、上述の効果に加えて奏するのは勿論である。
【００５８】
（第３の実施形態）
図１２ないし図１４は本発明の第３の実施形態に係るスロットマシンＣの前扉１の上部ランプ１００の構造を示す。この上部ランプ１００は、スロットマシンＣがボーナスゲームに入賞したときなど所定の遊技状態を発光報知する発光報知装置としての機能を有するもので、前扉１の上部フレーム３に設けた開口部１０１を覆って前扉１の上部表面の一部を構成するように上部フレーム３に取り付けられたランプカバー１０２と、上記開口部１０１を通してこのランプカバー１０２に対向して前扉１の裏側に配置された１つの光源基板１０３と、この光源基板１０３の向きを連続的又は断続的に変更する駆動手段１０４とを備えている。
【００５９】
上記ランプカバー１０２は、光透過性を有するアクリル樹脂などの合成樹脂からなるもので、上部フレーム３の横幅略全長に亘って横方向に細長く形成されている。上記光源基板１０３は、このランプカバー１０２に対応して横方向に細長い矩形状に形成されているとともに、その長手方向の両端に一対の支持フレーム１０５，１０５を有している。この各支持フレーム１０５の軸部１０５ａは、それぞれ光源基板１０３の長手方向に延びる中心線上に位置し、軸受け部材１０６を介して上部フレーム３の内側面に回転可能に支持されている。よって、光源基板１０３は、支持フレーム１０５及び軸受け部材１０６を介して上部フレーム３に長手方向の中心線回りに回転可能に支持されている。この光源基板１０３の表面側には多数の光源としての発光ダイオード１０７，１０７，…が縦方向に３列で横方向に互い違い状態に、換言すれば菱形の頂点位置を横方向に連ねた状態に実装されているとともに、光源基板１０３の裏面側には１つのコネクタ受け部１０８が設けられており、この受け部１０８には、図示していないが、コネクタを介して筐体内の制御基板が接続され、この制御基板の指令に基づいて光源基板１０３上の各発光ダイオード１０７の点灯又は点滅が制御されるようになっている。尚、各発光ダイオード１０７は、同一色のものに限らず、異なる色のものを用いたり、発光色が変わるものを用いたりしてもよい。
【００６０】
上記駆動手段１０４は、上部フレーム３に光源基板１０３の背面側を覆うように形成された上部ランプベース１１０に取付部材１１１を介して取り付けられた正逆回転可能なモータ１１２と、このモータ１１２の回転力を光源基板１０３の中心線側に伝達するギヤ機構１１３とを有してなる。ギヤ機構１１３は、図面上では、モータ１１２の回転軸に装着された駆動ギヤ１１３ａと、この駆動ギヤ１１３ａと噛合しかつ光源基板１０３の一方の支持フレーム１０５の軸部１０５ａに装着された従動ギヤ１１３ｂとからなるが、モータ１１２の回転力を減速して光源基板１０３の中心線側に伝達するために中間ギヤなどを備えてもよい。また、モータ１１２は、図示していない制御基板の制御に基づいて正回転又は逆回転をするようになっており、このモータ１１２の正逆回転により光源基板１０３は、図１４に仮想線で示すように、発光ダイオード１０７からの光がランプカバー１０２に照射する範囲内で、具体的には長手方向つまり横方向の中心線回りに上向きに３０°程度の傾斜状態と下向きに３０°程度の傾斜状態との間で揺動してその向きを連続的又は断続的に変更するようになっている。
【００６１】
次に、上記スロットマシンＣの作動、特に、発光報知装置としての上部ランプ１００の作動を説明するに、スロットマシンＣが所定の遊技状態になったときには、筐体内の制御基板の制御指令に基づいて、上部ランプ１００では、光源基板１０３上の各発光ダイオード１０７が点灯又は点滅すると同時に、光源基板１０３の向きが駆動手段１０４により変更され、光源基板１０３上の各発光ダイオード１０７からの光がランプカバー１０２を通して遊技者側に向きを変えながら照射されるため、遊技演出効果を高めてスロットマシンＣの興趣を高めることができる。
【００６２】
しかも、上記上部ランプ１００のランプカバー１０２及び光源基板１０３は、共に前扉１の上部フレーム３の横幅略全長に亘って横方向に細長く形成されたものであり、光源基板１０３は、その表面側に多数の発光ダイオード１０７，１０７，…を実装しかつ長手方向の中心線回りに揺動して向きを変更するものであるため、この光源基板１０３の向きの変更によって遊技者に与えるインパクトが非常に大きくなり、スロットマシンＣの興趣をより高めることができる。
【００６３】
また、上記駆動手段１０４は、正逆回転可能なモータ１１２と、このモータ１１２の回転力を光源基板１０３の中心線側に伝達するギヤ機構１１３とからなるため、光源基板１０３の向きの変更を確実に行うことができ、作動の信頼性を高めることができる。
【００６４】
（第４の実施形態）
図１５ないし図１７は本発明の第４の実施形態として、第３の実施形態に係るスロットマシンＣの上部ランプ１００の変形例を示す。この上部ランプ１００は、基本的には第３の実施形態の場合と同じであり、同一部材には同一符号を付してその説明は省略し、以下に相違点のみについて説明する。
【００６５】
すなわち、上部ランプ１００の光源基板１０３には、図１８に拡大詳示するように、その表面側に多数の発光ダイオード１０７，１０７，…が菱形の頂点位置を横方向に連ねた状態に実装されているとともに、この発光ダイオード１０７からの光を裏面側に透過するための菱形や三角形など各種形状の切り欠き部１２１，１２１，…が発光ダイオード１０７と干渉せずかつ光源基板１０３での配線に支障を来さない状態でそれぞれ複数ずつ設けられている。
【００６６】
また、上部ランプ１００の駆動手段１０４は、第３の実施形態の場合と同様に、正逆回転可能なモータ１１２と、このモータ１１２の回転力を光源基板１０３の中心線側に伝達するギヤ機構１１３とを有してなるが、モータ１１２の正逆回転により光源基板１０３は、発行ダイオード１０７がランプカバー１０２側に向いた表向き状態（図１７で実線で示す状態）と反対側に向いた裏向き状態（図１７で仮想線で示す状態）との間で略１８０°往復回動してその向きを連続的又は断続的に変更するようになっている。
【００６７】
さらに、前扉１の上部フレーム３には上部ランプベース１２２が光源基板１０３の背面側を覆うように形成されており、この上部ランプベース１２２は、その素材樹脂として高反射グレードの樹脂を使用し、あるいは樹脂にクロムメッキ、アルミ蒸着又は反射フイルムの貼付の処理を施すことにより反射板としての機能を発揮し、光源基板１０３が裏向き状態のとき又は回動中のときに発光ダイオード１０７からの光を前方に反射するようになっている。また、上部ランプベース１２２は、曲面や凹凸面を適宜有し、光源基板１０３が裏向き状態のときに発光ダイオード１０７からの光を光源基板１０３の対向する切り欠き部１２１に集中的に反射するようになっている。
【００６８】
そして、上記第４の実施形態の上部ランプ１００においても、スロットマシンＣが所定の遊技状態になったとき光源基板１０３上の各発光ダイオード１０７が点灯又は点滅すると同時に、光源基板１０３の向きが駆動手段１０４により変更されるため、遊技演出効果を高めてスロットマシンＣの興趣を高めることができる。特に、本実施形態の場合、光源基板１０３の向きは、発光ダイオード１０７がランプカバー１０２側に向いた表向き状態と反対側に向いた裏向き状態との間で変更されるため、明度の大幅な変化などにより一風変わった発光報知を実現することができ、演出効果をより高めることができる。
【００６９】
その上、光源基板１０３が裏向き状態のとき又は回動中のときには、光源基板１０３の表面側の発光ダイオード１０７から照射された光が直接光源基板１０３の切り欠き部１２１を通ってランプカバー１０２側に向かって放射され、あるいは発光ダイオード１０７から後方に照射された光が光源基板１０３の後方に設けた反射板としての上部ランプベース１２２により前方に反射され、この反射光が光源基板１０３の短手方向両側つまり上下両側又は切り欠き部１２１を通ってランプカバー１０２側に向かって放射されるため、より一層変わった発光報知を実現することができ、演出効果をより一層高めることができる。
【００７０】
（その他の実施形態）
尚、本発明は上記第１ないし第４の実施形態に限定されるものではなく、その他種々の形態を包含するものである。例えば、上記第１及び第２の実施形態では、光源基板３３，６３，７３，８３の向きを変更する駆動手段として、いずれもロータリソレノイド３４，６４，７４，８４により構成したが、本発明は、このロータリソレノイドの代わりに、例えば第１の実施形態における上部ランプ６の場合に、図１９に示す如く正逆回転可能なモータ１３１などを用いて光源基板３３の向きを回動軸１３２回りに変更し、あるいは図２０に示す如くオープンソレノイド１３６及びリンク機構１３７などを用いて光源基板３３の向きを回動軸１３８回りに変更するように構成してもよい。
【００７１】
また、上記各実施形態では、いずれもスロットマシンＡ，Ｂ，Ｃに適用した場合について述べたが、本発明は、パチンコ機の遊技盤又は枠材に発光報知装置を装備する場合などにも同様に適用することができる。
【図面の簡単な説明】
【００７２】
【図１】本発明の第１の実施形態に係るスロットマシンの正面図である。
【図２】図１のＥ−Ｅ線における拡大断面図である。
【図３】図１のＦ−Ｆ線における拡大断面図である。
【図４】上部ランプの光源基板などの斜視図である。
【図５】ロータリソレノイドの構造を示す一部を切断した斜視図である。
【図６】図１のＧ−Ｇ線における拡大断面図である。
【図７】発光報知装置の光源基板などの斜視図である。
【図８】図１のＨ−Ｈ線における拡大断面図である。
【図９】第２の実施形態に係るスロットマシンの前扉下部の正面図である。
【図１０】図９のＩ−Ｉ線における拡大断面図である。
【図１１】発光報知装置のカバーの正面図である。
【図１２】第３の実施形態に係るスロットマシンの上部ランプ付近のランプカバーを取り外した状態の正面図である。
【図１３】図１２のＪ−Ｊ線における断面図である。
【図１４】図１２のＫ−Ｋ線における拡大断面図である。
【図１５】第４の実施形態を示す図１２相当図である。
【図１６】図１５のＬ−Ｌ線における断面図である。
【図１７】図１５のＭ−Ｍ線における拡大断面図である。
【図１８】上部ランプの光源基板の平面図である。
【図１９】発光報知装置の別の形態を示す図４相当図である。
【図２０】同じく図４相当図である。
【符号の説明】
【００７３】
Ａ，Ｂ，Ｃ    スロットマシン（遊技機）
１    前扉
２Ｌ，２Ｒ    端フレーム（強度部材）
３    上部フレーム（強度部材）
５    下部フレーム（強度部材）
６，１００    上部ランプ（発光報知装置）
１６    保持プレート（強度部材）
２１    下部パネル枠（強度部材）
３２，１０２    ランプカバー
３３，６３，７３，８３，１０３    光源基板
３４，６４，７４，８４    ロータリソレノイド（駆動手段）
３５，６５，７５，８５，１１１    取付部材
３６，６６，７６，８７，１０７    発光ダイオード（光源）
４５，６７，７７，８８    回動軸
６０，７０，８０    発光報知装置
６２，７２，８２    カバー
１０４    駆動手段
１１０    上部ランプベース（強度部材）
１１２    モータ
１１３    ギヤ機構
１２１    切り欠き部
１２２    上部ランプベース（強度部材、反射板）
１３１    モータ（駆動手段）
１３６    オープンソレノイド（駆動手段）
１３７    リンク機構（駆動手段）
【図１】
2005199034.tif 000003
【図２】
2005199034.tif 000004
【図３】
2005199034.tif 000005
【図４】
2005199034.tif 000006
【図５】
2005199034.tif 000007
【図６】
2005199034.tif 000008
【図７】
2005199034.tif 000009
【図８】
2005199034.tif 000010
【図９】
2005199034.tif 000011
【図１０】
2005199034.tif 000012
【図１１】
2005199034.tif 000013
【図１２】
2005199034.tif 000014
【図１３】
2005199034.tif 000015
【図１４】
2005199034.tif 000016
【図１５】
2005199034.tif 000017
【図１６】
2005199034.tif 000018
【図１７】
2005199034.tif 000019
【図１８】
2005199034.tif 000020
【図１９】
2005199034.tif 000021
【図２０】
2005199034.tif 000022